(57)【特許請求の範囲】
【請求項１】
連続光のポンプ光を出射するポンプ光源と、
試料において誘導放出を誘起する誘導放出光を出射する誘導放出光光源と、
前記誘導放出光と前記ポンプ光とを試料に照射する光学系と、
前記試料で発生したラマン散乱光を検出する検出器と、を備え、
前記ラマン散乱光は、前記ポンプ光よりも長波長側に発生する、自然ストークスラマン散乱光であり、
前記誘導放出光の波長が前記ポンプ光の波長から４０００ｃｍ−１以内の長波長側であるラマン顕微鏡。
【請求項２】
連続光のポンプ光を出射するポンプ光源と、
試料において誘導放出を誘起する誘導放出光を出射する誘導放出光光源と、
前記誘導放出光と前記ポンプ光とを試料に照射する光学系と、
前記試料で発生したラマン散乱光を検出する検出器と、を備え、
前記誘導放出光が連続光であるラマン顕微鏡。
【請求項３】
連続光のポンプ光を出射するポンプ光源と、
試料において誘導放出を誘起する誘導放出光を出射する誘導放出光光源と、
前記誘導放出光又は前記ポンプ光を強度変調する光変調器と、
光強度が変調された誘導放出光と前記ポンプ光、または前記誘導放出光と光強度が変調されたポンプ光とを試料に照射する光学系と、
前記試料で発生したラマン散乱光を検出する検出器と、
前記検出器からの信号に含まれる蛍光成分をフィルタリングするフィルタと、を備えたラマン顕微鏡。
【請求項４】
前記試料で発生した光からラマン散乱光を分離する分光器をさらに備えた請求項１〜３のいずれか１項に記載のラマン顕微鏡。
【請求項５】
前記誘導放出光と前記ポンプ光とがシングルモードファイバを介して前記試料に照射されている請求項１〜４のいずれか１項に記載のラマン顕微鏡。
【請求項６】
前記ポンプ光が入射する第１のファイバケーブルと、
前記誘導放出光が入射する第２のファイバケーブルと、
前記第１のファイバケーブルと前記第２のファイバケーブルを結合するファイバコンバイナと、をさらに備える請求項５に記載のラマン顕微鏡。
【請求項７】
暗視野照明光学系により、前記誘導放出光が前記試料に入射している請求項１〜６のいずれか１項に記載のラマン顕微鏡。
【請求項８】
前記ポンプ光を入射させる移相子、または、前記誘導放出光を入射させる移相子の少なくともいずれか一つをさらに備えた請求項１〜７のいずれか１項に記載のラマン顕微鏡。
【請求項９】
連続光のポンプ光を出射するステップと、
試料において誘導放出を誘起する誘導放出光を出射するステップと、
前記誘導放出光と前記ポンプ光とを試料に照射するステップと、
前記試料で発生したラマン散乱光を検出するステップと、を備え、
前記ラマン散乱光は、前記ポンプ光よりも長波長側に発生する、自然ストークスラマン散乱光であり、
前記誘導放出光の波長を前記ポンプ光の波長から４０００ｃｍ−１以内の長波長側とするラマン分光測定方法。
【請求項１０】
連続光のポンプ光を出射するステップと、
試料において誘導放出を誘起する誘導放出光を出射するステップと、
前記誘導放出光と前記ポンプ光とを試料に照射するステップと、
前記試料で発生したラマン散乱光を検出するステップと、を備え、
前記誘導放出光が連続光であるラマン分光測定方法。
【請求項１１】
連続光のポンプ光を出射するステップと、
試料において誘導放出を誘起する誘導放出光を出射するステップと、
前記誘導放出光又は前記ポンプ光を強度変調するステップと、
光強度が変調された誘導放出光と前記ポンプ光、または前記誘導放出光と光強度が変調されたポンプ光とを試料に照射するステップと、
前記試料で発生したラマン散乱光を検出するステップと、
フィルタを用いて、前記検出ステップで得られる信号に含まれる蛍光成分を除去するステップと、を備えたラマン分光測定方法。
【請求項１２】
前記試料で発生した光からラマン散乱光を分光するステップと、をさらに含む請求項９〜１１のいずれか１項に記載のラマン分光測定方法。
【請求項１３】
前記誘導放出光の波長を変化させて、スペクトルを検出し、
前記検出したスペクトルに応じて、前記誘導放出光の波長を選択して、
前記選択された波長の誘導放出光を前記試料に照射して、他の箇所のラマン散乱光を検出する請求項９〜１２のいずれか１項に記載のラマン分光測定方法。
【請求項１４】
前記誘導放出光の強度を変化させて、スペクトルを検出し、
前記検出したスペクトルに応じて、前記誘導放出光の強度を選択して、
前記選択された強度の誘導放出光を前記試料に照射して、他の箇所のラマン散乱光を検出する請求項９〜１２のいずれか１項に記載のラマン分光測定方法。
【請求項１５】
前記誘導放出光と前記ポンプ光とがシングルモードファイバを介して前記試料に照射されている請求項９〜１４のいずれか１項に記載のラマン分光測定方法。
【請求項１６】
前記誘導放出光の偏光方向と前記ポンプ光の偏光方向を、試料において直交させるか、
若しくは平行にする請求項９〜１５のいずれか１項に記載のラマン分光測定方法。
【発明の詳細な説明】
【技術分野】
【０００１】
本発明は、ラマン顕微鏡、及びラマン分光測定方法に関し、特に詳しくは試料からのラマン散乱光を分光するラマン顕微鏡及びラマン分光測定方法に関する。
【背景技術】
【０００２】
従来、ラマン分光法、特に線形な光学過程であるラマン散乱を利用するラマン分光法が利用されている。ラマン分光法においては、試料にレーザなどの単色光を照射し、散乱された光を分光器などで分光する。そして、分光された光をＣＣＤなどの撮像機にて観察し、ラマンスペクトルを得る。レーザ光を集光し、試料とレーザースポットの相対位置を走査することで、ラマン画像を得ることも広く行われている。
【先行技術文献】
【特許文献】
【０００３】
【特許文献１】特開２００９−２５８０３０号公報
【特許文献２】特開２００７−７１６０６号公報
【特許文献３】特開２０１０−９２００２号公報
【非特許文献】
【０００４】
【非特許文献１】Ｈｅｌｌ, Ｓ. Ｗ. ａｎｄ Ｊ. Ｗｉｃｈｍａｎｎ （１９９４）."Ｂｒｅａｋｉｎｇ ｔｈｅ ｄｉｆｆｒａｃｔｉｏｎ ｒｅｓｏｌｕｔｉｏｎ ｌｉｍｉｔ ｂｙ ｓｔｉｍｕｌａｔｅｄ ｅｍｉｓｓｉｏｎ." Ｏｐｔ. Ｌｅｔｔ. １９（１１）： ７８０−７８２.
【発明の概要】
【発明が解決しようとする課題】
【０００５】
従来のラマン顕微鏡の光学系を、図１１に示す。ポンプ光光源１０１からのポンプ光が、ミラー１０２、ダイクロイックミラー１０３、対物レンズ１０４を経て、試料１０５に入射する。試料１０５からのラマン散乱光が、対物レンズ１０４、ダイクロイックミラー１０３、ノッチフィルタ１０６、レンズ１０７を経て、空間フィルタ１０８に入射する。空間フィルタ１０８を通過したラマン散乱光が分光器１０９に入射する。分光器１０９で分光されたラマン散乱光は、検出器１１０で検出される。
【０００６】
ラマン分光法の中で、ストークスラマン散乱を測定するものは、照射する光の波長よりも長い波長域にてラマンスペクトルを観察する。図１２に示すように、このような観察では、照射する光と試料の種類によっては蛍光発光を伴うことがある。蛍光発光は、照射する光の波長よりも、長い波長で発光する。このため、ストークスラマン散乱のスペクトルと蛍光のスペクトルは重なってしまうことがある。
【０００７】
蛍光の発光強度は、照射する光の強度、吸収断面積、量子効率の掛け合わせに比例する。ストークスラマン散乱の発光強度は、照射する光の強度、ラマン散乱断面積の掛け合わせに比例する。ここで、分子の吸収断面積の値に対してラマン散乱断面積の値は小さく、概して蛍光の発光強度はラマン散乱光強度よりも強くなってしまう。このため、蛍光発光が顕著に起こる試料に対して、ラマン観察を行うことは難しい。従来、非線形光学過程を用いたラマン分光法、コヒーレントアンチストークスラマン散乱、誘導ラマン散乱などの蛍光よりも高効率な手法を用いて蛍光の影響を相対的に小さくしてきた。
【０００８】
あるいは、このような問題の一部を解決するために、ラマンスペクトルから蛍光の影響を抑える方法が開示されている（特許文献１、２）。特許文献１、２においては、ラマン分光法において観察されたスペクトルから蛍光の影響を計算によって取り除き、より高い信号雑音比でラマンスペクトルの取得を行うことを実現している。
【０００９】
しかしながら、特許文献１の方法においては、複数回のスペクトルを取得する必要があり、従来以上の測定時間が必要となる。また、試料が照射する光により変化を起こしてしまうような場合には、複数回の測定により蛍光以外の情報が失われてしまう。特許文献２の方法においては、特許文献１と同様に波長を切り替えるため、従来以上の測定時間が必要となる。また、特許文献２の手法においてはインコヒーレントな光を使うために、照射する光の帯域が広くなってしまい、波数分解能を犠牲にしてしまう。
【００１０】
また、特許文献１、２の手法においては、蛍光スペクトルとラマンスペクトルは原理的に分離することはできていない。このため、蛍光スペクトルの強度がラマンスペクトルの強度に対して大きく、検出器のダイナミックレンジを超える場合には分離することができなくなる。
【００１１】
蛍光の発光は、励起された電子が遷移する際にそのエネルギーを放出するために起きる。また、蛍光の発光は分子の振動状態の取り方により、その発光波長域が広い。誘導放出は、励起された電子が遷移する際に、外部から入射した光と同じ位相及び周波数でエネルギーを放出する現象である。誘導放出光が入射された後の分子は、エネルギーを失っており、蛍光を発光することができない。
【００１２】
たとえば、誘導放出光を顕微観察に導入することで、高い空間分解能をもった共焦点顕微鏡の開発等が行われている（非特許文献１）。非特許文献１では、誘導放出光を共焦点蛍光顕微鏡に導入することで、観察する中心以外の部分の蛍光を除去し、中心部分のみの蛍光信号を取得し、共焦点蛍光顕微鏡の空間分解能を向上させている。誘導放出光を導入すると、蛍光の発光効率が低く抑えられる。
【００１３】
特許文献３では、誘導放出により蛍光を抑制する手法が開示されている。特許文献３の実施例においては、ラマン過程を誘起するポンプ光に、パルス幅１０ピコ秒以下のパルスレーザを用いている。しかしながら、線形な光学過程であるラマン散乱観察では、ポンプ光の線幅が重要である。例えば、１０ピコ秒以下のパルス幅では、不確定性原理により、スペクトル幅が広がってしまい、高い波数分解能を得ることができず、有効な測定ができない。
【００１４】
本発明は上述の問題点に鑑みてなされたものであり、高い波数分解能の分光測定を行うことができるラマン顕微鏡、及びラマン分光測定方法を提供することを目的とする。
【課題を解決するための手段】
【００１５】
本発明のラマン顕微鏡は、連続光のポンプ光を出射するポンプ光源と、試料において誘導放出を誘起する誘導放出光を出射する誘導放出光光源と、前記誘導放出光と前記ポンプ光とを試料に照射する光学系と、前記試料で発生したラマン散乱光を検出する検出器と、を備えたものである。ポンプ光に連続光を用いているため、ポンプ光の線幅を狭くすることができ、高い波数分解能でラマン散乱光の測定を行うことができる。
【００１６】
上記のラマン顕微鏡において、前記誘導放出光の波長を前記ポンプ光の波長から４０００ｃｍ−１以内の長波長側とする態様も好ましく実施することができる。蛍光の発生をより一層抑えることができる場合があるためである。
【００１７】
上記ラマン顕微鏡において、前記試料で発生した光からラマン散乱光を分離する分光器をさらに備えることが好ましい。分光器でラマン散乱光を分離することにより、いっそう高いＳＮ比でラマン散乱光を測定することができる。
【００１８】
上記のラマン顕微鏡において、前記誘導放出光を連続光としてもよい。これにより、試料において蛍光の発生を効果的に抑制することができる。
【００１９】
上記のラマン顕微鏡において、前記誘導放出光又は前記ポンプ光を強度変調する光変調器をさらに備え、前記検出器からの信号に含まれる蛍光成分をフィルタリングすることが好ましい。検出器からの信号に含まれる蛍光成分を効果的に除去することができる。
【００２０】
上記のラマン顕微鏡において、前記誘導放出光と前記ポンプ光とがシングルモードファイバを介して前記試料に照射されることが好ましい。これにより、安定した測定が可能になる。
【００２１】
上記のラマン顕微鏡において、前記ポンプ光が入射する第１のファイバケーブルと、前記誘導放出光が入射する第２のファイバケーブルと、前記第１のファイバケーブルと前記第２のファイバケーブルを結合するファイバコンバイナと、をさらに備えることが望ましい。このようにすることで、ラマン散乱光を効率よく測定することができる。
【００２２】
上記のラマン顕微鏡において、暗視野照明光学系により、前記誘導放出光が前記試料に入射していることが好ましい。これにより、誘導放出光源からの誘導放出光が分光器に入射するのを防ぐことができる。
【００２３】
上記のラマン顕微鏡において、前記ポンプ光を入射させる移相子、または、前記誘導放出光を入射させる移相子の少なくともいずれか一つをさらに備えることが好ましい。
【００２４】
本発明のラマン分光測定方法は、連続光のポンプ光を出射するステップと、試料において誘導放出を誘起する誘導放出光を出射するステップと、前記誘導放出光と前記ポンプ光とを試料に照射するステップと、前記試料で発生したラマン散乱光を検出するステップと、を備えたものである。ポンプ光に連続光を用いているため、ポンプ光の線幅を狭くすることができ、高い波数分解能でラマン散乱光の測定を行うことができる。
【００２５】
上記のラマン分光測定方法において、前記誘導放出光の波長を前記ポンプ光の波長から４０００ｃｍ−１以内の長波長側とする態様も好ましく実施することができる。蛍光の発生をより一層抑えることができる場合があるためである。
【００２６】
上記のラマン分光測定方法において、前記試料で発生した光からラマン散乱光を分光するステップをさらに含むことが望ましい。ラマン散乱光を分光することにより、いっそう高いＳＮ比でラマン散乱光を測定することができる。
【００２７】
上記のラマン分光測定方法において、前記誘導放出光を連続光とすることが好ましい。これにより、蛍光の発生を抑制することができる。
【００２８】
上記のラマン分光測定方法において、前記誘導放出光又は前記ポンプ光を強度変調し、フィルタを用いて、前記検出ステップで得られる信号に含まれる蛍光成分を除去することが好ましい。検出器からの信号に含まれる蛍光成分を効果的に除去することができる。
【００２９】
上記のラマン分光測定方法において、前記誘導放出光の波長を変化させて、スペクトルを検出し、前記検出したスペクトルに応じて、前記誘導放出光の波長を選択して、前記選択された波長の誘導放出光を前記試料に照射して、他の箇所のラマン散乱光を検出する態様を採り得る。これにより、ラマン散乱光の信号雑音比を向上することができる。
【００３０】
上記のラマン分光測定方法において、前記誘導放出光の強度を変化させて、スペクトルを検出し、前記検出したスペクトルに応じて、前記誘導放出光の強度を選択して、前記選択された強度の誘導放出光を前記試料に照射して、他の箇所のラマン散乱光を検出する態様を採り得る。これにより、ラマン散乱光の信号雑音比を向上することができる。
【００３１】
上記のラマン分光測定方法において、前記誘導放出光と前記ポンプ光とがシングルモードファイバを介して前記試料に照射される態様とすることが好ましい。これにより、安定した測定が可能になる。
【００３２】
上記のラマン分光測定方法において、前記誘導放出光の偏光方向と前記ポンプ光の偏光方向を、試料において直交させるか、若しくは平行にすることが好ましい。これにより誘導ラマン散乱光の発生を抑制することができるため、ラマン散乱光の信号雑音比を向上することができる。
【発明の効果】
【００３３】
本発明によれば、高い波数分解能で測定することができるラマン顕微鏡、及びラマン分光測定方法を提供することができる。
【図面の簡単な説明】
【００３４】
【図１】誘導放出による励起エネルギーの誘導を表す図である。
【図２】実施の形態１に係るラマン顕微鏡の光学系を示す図である。
【図３】実施の形態２に係るラマン顕微鏡の光学系を示す図である。
【図４】実施の形態２の変形例に係るラマン顕微鏡の光学系を示す図である。
【図５】実施の形態３に係るラマン顕微鏡の光学系を示す図である。
【図６】実施の形態４に係るラマン顕微鏡の光学系を示す図である。
【図７】実施の形態５に係るラマン顕微鏡の光学系を示す図である。
【図８】実施の形態５の変形例に係るラマン分光測定装置の光学系を示す図である。
【図９】誘導ラマン散乱の発生を示すヤブロンスキー図である。
【図１０】実施の形態６に係るラマン顕微鏡の光学系を示す図である。
【図１１】従来のラマン顕微鏡光学系の一例を示す図である。
【図１２】ラマン散乱と蛍光発光のヤブロンスキー図である。
【発明を実施するための形態】
【００３５】
本発明の実施形態では、ラマン分光観察を行う際に、自然ストークスラマン散乱（なお、以下の説明において、特に断りがない限り、ラマン散乱光は、線形光学過程によって照明光よりも長波長側に発生する、自然ストークスラマン散乱を指すものとする。）を誘起するポンプ光を、対物レンズを通して試料に照射する。このとき、ポンプ光と同じ光経路に誘導放出を誘起する誘導放出光を同軸に導入する。誘導放出光の導入により、ラマンスペクトルに混入する広帯域の蛍光の発光を抑えることができる。励起状態の試料は、誘導放出によって単色の光を放射して、基底状態に戻る。これにより、ラマン散乱のスペクトルと重なってしまう蛍光を発生する試料であっても、蛍光の発生を抑制することができる。よって、高い信号雑音比での測定が可能となる。さらに、連続光を用いているため、高い波数分解能で観察することができる。
【００３６】
以下に、本発明を適用可能な実施の形態が説明される。以下の説明は、本発明の実施形態を説明するものであり、本発明が以下の実施形態に限定されるものではない。説明の明確化のため、以下の記載は、適宜、省略及び簡略化がなされている。又、当業者であれば、以下の実施形態の各要素を、本発明の範囲において容易に変更、追加、変換することが可能であろう。尚、各図において同一の符号を付されたものは同様の要素を示しており、適宜、説明が省略される。
【００３７】
［実施の形態１］
実施の形態１にかかるラマン顕微鏡及びラマン分光測定方法について、図２を用いて説明する。図２は、ラマン顕微鏡の光学系の全体構成を示す図である。誘導放出光光源１１は、例えば、連続発振のレーザ光源であり、試料１７において誘導放出を生じさせる光（以下、誘導放出光）を出射する。誘導放出光光源１１からの誘導放出光は、ミラー１３で反射して、ダイクロイックミラー１４に入射する。ポンプ光源１２は、連続発振のレーザ光源であり、単色のポンプ光を出射する。ポンプ光源１２からのポンプ光は、ダイクロイックミラー１４に入射する。ダイクロイックミラー１４は、波長に応じて、光を透過又は反射する。具体的には、ダイクロイックミラー１４は、誘導放出光を透過し、ポンプ光を反射する。従って、ダイクロイックミラー１４によって、ポンプ光と誘導放出光とが合成された合成光が生成される。ダイクロイックミラー１４で合成されたポンプ光と誘導放出光は、同軸に伝播して、ダイクロイックミラー１５に入射する。ダイクロイックミラー１５で反射されたポンプ光と誘導放出光との合成光は、対物レンズ１６で集光されて、試料１７に入射する。
【００３８】
試料１７で発生したラマン散乱光は、対物レンズ１６を介して、ダイクロイックミラー１５に入射する。ダイクロイックミラー１５は、ラマン散乱光を透過し、ポンプ光と誘導放出光を反射する特性を有している。従って、ダイクロイックミラー１５によって、ラマン散乱光が、ポンプ光と誘導放出光から分離される。さらに、ダイクロイックミラー１５の後段には、波長に応じて光の通過を制限するノッチフィルタ１８、１９が配置されている。ノッチフィルタ１８は、誘導放出光の通過を制限し、ノッチフィルタ１９は、ポンプ光の通過を制限する。ノッチフィルタ１８とノッチフィルタ１９によって、分光器３２に入射する誘導放出光とポンプ光をより低減することができる。ダイクロイックミラー１５からのラマン散乱光は、ノッチフィルタ１８とノッチフィルタ１９を介して、レンズ２０に入射する。
【００３９】
レンズ２０は、ラマン散乱光を空間フィルタ３１上に集光する。空間フィルタ３１は、スリットやピンホールなどである。空間フィルタ３１を通過したラマン散乱光は、分光器３２に入射する。分光器３２は、回折格子（グレーティング）やプリズムなどの分光素子を備えており、空間フィルタ３１から入射したラマン散乱光をその波長に応じて空間的に分散させる。空間フィルタ３１がスリットを有する場合、分光器３２は、スリットと垂直な方向にラマン散乱光を分散する。分光器３２により分光されたラマン散乱光は、検出器３３に入射する。検出器３３は、受光素子がライン状に配列されたラインセンサや、受光素子がマトリクス状に配列されたエリアセンサである。具体的には、検出器３３は画素がアレイ状に配置された２次元ＣＣＤカメラなどの２次元アレイ光検出器である。このようにすることで、波長分散されたラマン散乱光を検出器３３の１フレームで検出することができる。
【００４０】
上述した特許文献３では、光検出器として光電子増倍管が使用されているが、多くの波長の光を同時に測定することができず、スペクトルの取得に時間がかかってしまう。そのため、特許文献３の手法では高速なラマン分光イメージングを行うことができない。しかしながら、本実施の形態に示すように、分光器３２による波長分散方向と直交する方向に受光素子が配列された撮像器を検出器３３として用いることで、１フレームの撮像で、複数の波長の光を検出することができる。これにより、測定時間を短縮することが可能となる。
【００４１】
図２に示すラマン顕微鏡において、点光源であるポンプ光源１２は、試料１７と共役な位置に配置されている。また、空間フィルタ３１は、試料１７と共役な位置に配置されている。空間フィルタ３１が共焦点光学系のピンホールやスリットとして利用されており、ラマン顕微鏡が共焦点顕微鏡を構成する。共焦点光学系を介して、ラマン散乱光を検出することで、空間分解能を向上することができる。空間フィルタ３１をスリットとする場合、ポンプ光源１２と誘導放出光光源１１からの光を検出器３３の撮像速度よりも高速に１次元走査するか、あるいは、ライン状の光に変換する。こうすることで、ラインコンフォーカル（スリットコンフォーカル光学系）を構成することができる。
【００４２】
また、ポンプ光と誘導放出光を偏向するスキャナ、あるいは、試料１７を載置する可動ステージ等によって、試料１７におけるポンプ光と誘導放出光の位置を相対移動させることで、試料１７の任意の位置におけるラマン散乱光を分光測定することができる。試料１７を走査することで、試料１７の全体、あるいは所定領域のラマンスペクトルを観察する。
【００４３】
ポンプ光と誘導放出光のビーム径は一致させることがより望ましい。ポンプ光と誘導放出光との重なり部分が広いほど、試料のデフォーカス位置を含めた広い領域において蛍光を抑えることができるからである。ビーム径は、例えば、それぞれあるいは一方の光源の直後に適当な倍率のビームエキスパンダ（図示されない）を備えることによって調整できる。
【００４４】
さらに、本実施の形態では、特許文献３の手法と異なり、ポンプ光源を連続光としている。従って、以下の効果を得ることができる。
【００４５】
（１）連続発振のため、常に分子を励起状態にもっていくことができ、分子を励起状態に飽和させることができる。このとき、誘導放出光を導入すると、吸収されずに、全て誘導放出効果を誘起することになる。連続発振光にてラマン散乱を観察する場合、ポンプ光の強度は、パルス光の平均強度（〜１０４Ｗ/ｃｍ２）に対して、分子が励起飽和するのに十分な強度を持つ（＞１０５Ｗ/ｃｍ２）。そのため、分子が励起飽和し、誘導放出を効果的に行うことができ、蛍光対ラマン比が減少し、信号雑音比を向上できる。
【００４６】
（２）同じ強度のラマン散乱光を得ようとした場合（光源の平均強度が同じ場合）、パルスレーザは高いピーク強度を持つために、試料を損傷させやすい。連続発振の場合、平均強度を上げても試料を損傷させにくいため、光源の強度を上げて、強いラマン散乱を得ることができ、信号雑音比が向上できる。
【００４７】
（３）パルスレーザを用いる場合、パルスレーザは高いピーク強度を持つために、高い損傷しきい値を持った光学部品を使用する必要がある。そのため、使用できる光学部品が制約される。連続発振のレーザを使用する場合、損傷しきい値による制約が小さく、より高性能な光学部品（よりラマン散乱光の透過率の高いフィルタなど）を使用できる。
【００４８】
（４）パルスレーザを用いると、多光子励起、高調波発生、光パラメトリック発振等の望まない非線形光学効果による発光が起こり測定の妨げとなる可能性があるが、連続光の場合にはこの心配がない。
【００４９】
（５）パルスレーザの場合、パルスとパルスの間に、ラマン散乱光の発生の無い時間がある。この時間には検出器において、暗電流のみが積算されることになり、信号雑音比が低下する。連続発振の場合、このようなことがない。
【００５０】
（６）連続発振の場合、試料によっては、三重項状態に移行した電子励起をさらに過励起状態にすることで、より蛍光の発光を抑制できる場合がある。
【００５１】
（７）連続発振のレーザを照射した場合には、パルスの場合よりも褪色が起こりやすく、褪色によっても蛍光強度を低減する効果がある。
【００５２】
（８）ポンプ光、誘導放出光がパルスの場合には、効率よく誘導放出を起こさせるために、それぞれのレーザのパルスの周期を一致させ、さらに誘導放出光が数ピコ秒程度遅れて試料に入射するように、タイミングを調整する必要がある。それぞれを連続光とすることで、この調整が不要となり、装置が簡便になる。パルスの周期のずれ（ジッター）や、タイミング調整がずれることによる性能低下の心配がない。
【００５３】
（９）連続発振のレーザはパルスレーザよりも狭帯域化（単色化）が可能である。より狭帯域なレーザを用いると得られるラマンスペクトルの波数分解能が向上する。
【００５４】
（１０）狭帯域のレーザを用いると、レンズによる色収差の発生がなく、照明光学系（ダイクロイックミラー１５まで）において色収差の補正が不要となる。また、色収差による空間分解能の低下がなく、高い空間分解能を実現できる。
【００５５】
（１１）連続発振のレーザは一般的に、パルスレーザよりも、強度の安定性が高い。また、立ち上がりが早く、短いウォームアップ時間で装置を使用できる。
【００５６】
（１２）ラマン分光に使用する波長域では、連続発振のレーザの方が安価である場合が多い。
【００５７】
また、ポンプ光源１２は単色のレーザ光、特に線幅が１ｃｍ−１以下のレーザ光を用いることが望ましい。これによって波数分解能の高いラマンスペクトルを得ることができる。また、顕微鏡として高い空間分解能を実現するためにＴＥＭ００で発振し、Ｍ２が２以下のレーザを用いることが望ましい。このようなレーザとして、ＬａｓｅｒＱｕａｎｔｕｍ社のＴｏｒｕｓを用いることができる。
【００５８】
誘導放出光光源１１には、ポンプ光と同程度か、またはより大きな強度を持ったものを用いることが望ましい。また、誘導放出光の中心波長は、ポンプ光の中心波長よりも長い波長の光を用いる。より望ましくは、誘導放出光の中心波長はポンプ光の中心よりも４０００ｃｍ−１以上長波長とする。ラマン散乱光が一般的に測定される０ｃｍ−１から４０００ｃｍ−１の領域と誘導放出光が重ならないようにするためである。例えば、４８８ｎｍのポンプ光が用いられる場合、０ｃｍ−１から４０００ｃｍ−１の領域は４８８ｎｍから６０６ｎｍであるため、誘導放出光の中心波長を６０６ｎｍ以上に設定することで、ラマン散乱光と誘導放出光が重ならないようにできる。このような光源として、６７１ｎｍで発振するＬａｓｅｒＱｕａｎｔｕｍ社のＩｇｎｉｓを用いることができる。
【００５９】
発明者らは、逆に、ポンプ光から４０００ｃｍ−１以内の波長の光を誘導放出光に用いることも有用であることを見出した。特に４０００ｃｍ−１以内の波長の誘導放出光によって蛍光が効率良く抑制される場合には、４０００ｃｍ−１以内の波長の誘導放出光を積極的に使用するのが好ましい。この場合には、誘導放出光の近傍の波長領域では、誘導放出光に阻害されるために、ラマン散乱光の測定が困難であるが、一部の波長領域のラマン散乱光のみに興味が有る場合には、この興味がある領域外の波長の誘導放出光を使用することができる。測定が阻害される波長領域を狭くするためには、線幅が１００ｃｍ−１以下の狭帯域の誘導放出光を使用することが望ましい。蛍光の抑制が効率よく起こる波長は、蛍光が強く発生する波長であるため、ポンプ光から４０００ｃｍ−１以内の領域において強い蛍光が発生し、ラマン散乱光の測定を阻害している状況においては、４０００ｃｍ−１以内の波長の誘導放出光を使用することが特に有効である。その他、誘導放出光の波長をポンプ光よりも３０００ｃｍ−１以内、或いは、２０００ｃｍ−１以内とすることができる。
【００６０】
誘導放出光光源１１は、発振波長が可変の光源とし、中心波長を蛍光の抑制が最も効率よく起こる波長に最適化できる構成とすることが望ましい。このような誘導放出光光源１１として、例えば波長可変で連続発振のチタンサファイアレーザーを用いることができる。あるいは、波長帯域幅の広い光源の一部の波長をバンドパスフィルタで選択しても良い。また、連続発振の誘導放出光光源１１を用いることで、蛍光の発生をより抑制することができる。
【００６１】
誘導放出光の波長の最適化は次の手順で行うことができる。
１．誘導放出光の波長を徐々に変えながらポンプ光の波長と誘導放出光の波長の間の、スペクトルを測定する。
２．１で測定したスペクトルにおいて、ラマン散乱スペクトルのピーク強度と蛍光のバックグラウンド強度の比が最も高くなる時の誘導放出光の波長を、最適波長とする。
このように、試料１７の１箇所あるいは数か所において、誘導放出光の波長を最適化する。そして、選択された最適波長の誘導放出光を用いて、試料１７の全体あるいは、所定領域を観察する。これにより、高い信号雑音比で観察することができる。
【００６２】
同様に、誘導放出光の強度も最適化することが望ましい。誘導放出光の強度を徐々に変えながら、ラマン散乱スペクトルのピーク強度と蛍光のバックグラウンド強度の比が最も高くなる時の誘導放出光の強度を、最適強度とする。試料１７の１箇所あるいは数か所において、誘導放出光の強度を最適化する。そして、誘導放出光を最適強度にして、試料１７の全体あるいは所定領域を観察する。これにより、高い信号雑音比で観察することができる。さらに、誘導放出の効果を最大に得るために、波長と開口数の比が等しくなるように、対物レンズに入射するポンプ光と誘導放出光のビーム径を最適化することが望ましい。
【００６３】
誘導放出光光源は観察するラマン散乱光域と重複しなければ帯域幅は広くても（単色でなくても）よく、レーザ光源以外の光源を用いることもできる。
二つの光を同時に反射するダイクロイックミラー１５は両面にコーティングされたミラーで、片面でポンプ光の反射、もう片面で誘導放出光の反射を行うように構成してもよい。このようなダイクロイックミラーとすることで、コーティングの設計が容易になる。
【００６４】
ラマン散乱光を検出するためには必ずしも分光器を使用する必要はなく、特定の波長のラマン散乱光を透過する光学フィルタを代わりに使用しても良い。
【００６５】
［実施の形態２］
実施の形態２にかかるラマン顕微鏡、及びラマン分光測定方法について、図３を用いて説明する。図３は、ラマン顕微鏡の全体構成を示す図である。本実施の形態では、誘導放出光光源１１からミラー１３までの間に、光変調器４１が配置されている。光変調器４１が、誘導放出光を時間的に強度変調する。また、検出器３３としては、ＣＣＤ等よりも高速なフォトマルチプライアやアバランシェフォトダイオードなどが１列に配列されたライン検出器を用いている。なお、光変調器４１と検出器３３以外の構成については、実施の形態１と同様であるため、説明を省略する。
【００６６】
誘導放出光光源１１からの誘導放出光は、光変調器４１で放出されてミラー１３に入射する。光変調器４１は、例えば、誘導放出光の光強度が（１＋ｃｏｓωｔ）に比例するように強度変調する。ミラー１３で反射された誘導放出光は、ダイクロイックミラー１４に入射する。また、ポンプ光源１２からのポンプ光もダイクロイックミラー１４に入射する。そして、実施の形態１と同様に、ダイクロイックミラー１４で合成されたポンプ光と誘導放出光が試料１７に入射する。試料１７で発生したラマン散乱光が、実施の形態１と同様に、検出器３３で検出される。
【００６７】
検出器３３からの信号に対して、変調周波数よりも低い周波数の信号を透過させる周波数ローパスフィルタをかけることで、蛍光を低減させた信号を得ることができる。すなわち、光変調器の変調周波数よりも低い周波数の信号を通過させる周波数ローパスフィルタを用いることで、蛍光成分を除去し、ラマン散乱の信号を得ることができる。もしくは、誘導放出光の強度による差分をとることで、蛍光信号のみを得ることができ、得られたスペクトルから蛍光信号を差し引くことができる。このように、誘導放出光を強度変調し、検出器３３からの信号に対して、電気的に高周波数の成分を除去する。こうすることで、蛍光成分を効果的に除去することができ、高い信号雑音比での分光測定が可能となる。
【００６８】
（変形例）
実施の形態２の変形例では、誘導放出光ではなく、ポンプ光を変調する。従って、図４に示すように、ポンプ光光源１２とダイクロイックミラー１４との間に、光変調器４１を配置している。光変調器４１で変調されたポンプ光はダイクロイックミラー１４で誘導放出光と合成される。ポンプ光を光変調し、検出器３３にて周波数ハイパスフィルタを用いている。蛍光の応答速度(数ナノ秒)に追いつかない周波数で光変調器４１がポンプ光を変調すれば、蛍光の応答が追従することができないが、ラマン散乱の応答(数ピコ秒)は追従する。このため、変調周波数でロックイン検出を行うことで、ラマン散乱の信号を得ることができる。こうすることで、蛍光成分を効果的に除去することができ、高い信号雑音比での分光測定が可能となる。
【００６９】
このように、図３、図４では、光変調器４１を配置するとともに、フィルタを用いることで、検出器３３の信号に含まれる蛍光成分を除去することができる。これにより、より高い信号雑音比でラマン散乱光のスペクトルを測定することができる。なお、ここでいうフィルタとは、電気的なフィルタに限らず、デジタルの検出データに対して演算処理を行ってフィルタリングしても良い。すなわち、検出器３３の信号に含まれる蛍光成分をフィルタリングできる手法であれば、電気的なフィルタに限らず、ソフトウェア的なフィルタを用いても良い。この場合、検出器３３の信号をデジタルデータに変換して、ＰＣ（Ｐｅｒｓｏｎａｌ  Ｃｏｍｐｕｔｅｒ）等の演算処理装置に取り込む。そして、演算処理装置で、所定のプログラムを実行することで、フィルタリングを実行することができる。
【００７０】
［実施の形態３］
実施の形態３では、誘導放出光とポンプ光とを合成する位置が、実施の形態１、２と異なっている。それ以外の基本的な構成については、実施の形態１と同様であるため、説明を省略する。実施の形態３にかかるラマン顕微鏡の構成について、図５を用いて説明する。本実施の形態では、ダイクロイックミラー１４の代わりに、ダイクロイックミラー４４を用いて、ポンプ光と誘導放出光を合成している。すなわち、図１で示した構成からダイクロイックミラー１４が取り除かれ、ダイクロイックミラー４４がダイクロイックミラー１５と対物レンズ１６の間に配置されている。誘導放出光光源１１からの誘導放出光は、ダイクロイックミラー４４に直接入射する。ポンプ光源１２からのポンプ光はミラー４３を介して、ダイクロイックミラー１５に入射する。
【００７１】
ダイクロイックミラー１５で反射したポンプ光は、ノッチフィルタ１８を介して、ダイクロイックミラー４４に入射する。ダイクロイックミラー４４は、誘導放出光を反射し、ポンプ光を透過する。よって、ダイクロイックミラー４４がポンプ光と誘導放出光を合成した合成光を生成する。これにより、実施の形態１と同様に、誘導放出光とポンプ光が同軸に伝播して、対物レンズ１６に入射する。なお、図５に示す構成の場合、誘導放出光を取り除くノッチフィルタ１８をダイクロイックミラー１５とダイクロイックミラー４４の間に配置しているが、ノッチフィルタ１８の位置は、ダイクロイックミラー４４と空間フィルタ３１の間であれば、特に限定されるものではない。
【００７２】
このように、誘導放出光とポンプ光との重ね合わせは、試料１７に照射する前の経路であれば、どこでもよい。この光学系においては、誘導放出光が、ダイクロイックミラー４４以降の光学系に関わらず、信号雑音比を向上することができる。
【００７３】
［実施の形態４］
実施の形態４では、図６に示すように、暗視野照明光学系によって、誘導放出光を試料１７に照射している。それ以外の基本的構成は、実施の形態１、３と同様であるため、説明を省略する。本実施の形態では、ダイクロイックミラー４４における誘導放出光の入射位置が、ポンプ光の光軸からずれている。従って、対物レンズ１６と試料１７の間で、ポンプ光の伝播方向（光軸）から、誘導放出光の伝播方向（光軸）がわずかに傾斜しており、誘導放出光が試料１７に対して斜め入射する。対物レンズ１６によって屈折されたポンプ光と誘導放出光とが試料１７上において、空間的に重なり合う。空間的に重なり合ったポンプ光と誘導放出光とを試料１７に照射することができる。そして、試料１７で反射した誘導放出光は、対物レンズ１６とダイクロイックミラー４４との間に配置されたライトストッパ４５によって、遮光される。このように、本実施形態では、暗視野照明によって誘導放出光を試料１７に照射しているため、誘導放出光が分光器３２に入射するのを防ぐことができる。よって、より高い信号雑音比での観察が可能になる。
【００７４】
［実施の形態５］
実施の形態１において、ポンプ光と誘導放出光の導入には、シングルモードのファイバを用いることが望ましい。そのため、本実施の形態では、図７に示すように、試料１７に向かう途中の光路に、シングルモードのファイバケーブル５２とファイバカプラ５１とファイバカプラ５３とを配置している。なお、ラマン顕微鏡の基本的構成については、実施の形態１と同様であるため説明を省略する。図７では、ダイクロイックミラー１５から試料１７までの構成と、ダイクロイックミラー１５から検出器３３まで構成については、省略して図示している。
【００７５】
ダイクロイックミラー１４で合成されたポンプ光と誘導放出光は、ファイバカプラ５１に入射する。ファイバカプラ５１は、ファイバケーブル５２の一端に接続されている。ファイバケーブル５２の他端は、ファイバカプラ５３に接続されている。ファイバカプラ５１に入射したポンプ光と誘導放出光は、シングルモードのファイバケーブル５２内を伝播して、ファイバカプラ５３から出射する。ファイバカプラ５３から出射したポンプ光と誘導放出光は、ミラー５４を介して、ダイクロイックミラー１５に入射する。
【００７６】
このような構成とすることで、確実にポンプ光と誘導放出光を同軸に光学系に導入することができる。また、装置の主要な発熱源であるポンプ光源および誘導放出光光源を、装置の他の部分と分離して設置することが可能となり、光源の発熱が原因の光学系のずれを防ぐことができ、結果、光学系を調整後、長期間に渡って２つの光源からの光を同軸に保つことができる。
【００７７】
また、シングルモードファイバを使用することで、ポンプ光と誘導放出光のビーム径を、ビームエキスパンダー等の調節手段を用いずとも揃えることができる。ポンプ光と誘導放出光のビーム径が揃っていれば、ポンプ光と誘導放出光との重なり部分が増えるため、試料のデフォーカス位置を含めた広い領域において、蛍光を抑えることができる。
【００７８】
（変形例）
さらに、図８に示すとおり、ポンプ光と誘導放出光をファイバコンバイナ６５によって、重ね合わせることが望ましい。この場合、ミラー１３とダイクロイックミラー１４が不要となる。ファイバコンバイナ６５は、複数の光ファイバを熱で溶融しながら、延伸接合させた構造であり、コアからしみだした光が光ファイバ間で分離結合される。
【００７９】
図８に示すように、誘導放出光光源１１からの誘導放出光は、ファイバカプラ６１に入射し、ポンプ光源１２からのポンプ光はファイバカプラ６３に入射する。ファイバカプラ６１に入射した誘導放出光は、ファイバケーブル６２内を伝播して、ファイバコンバイナ６５に入射する。ファイバカプラ６３に入射したポンプ光は、ファイバケーブル６４内を伝播して、ファイバコンバイナ６５に入射する。ファイバコンバイナ６５は、ファイバケーブル６４とファイバケーブル６２とを結合しているため、ポンプ光と誘導放出光がファイバコンバイナ６５で合成される。ファイバコンバイナ６５で合成されたポンプ光と誘導放出光は、ファイバケーブル６６内を伝播して、ファイバカプラ６７から出射する。ファイバカプラ６７から出射した合成光は、ミラー５４で反射されたダイクロイックミラー１５に入射する。
【００８０】
このような構成とすることで、ミラーの角度の経時的な変化によって、ファイバへのカップリングの効率が低下することを防ぐことができる。さらに、シングルモードファイバを用いているため、図７と同様の効果を得ることができる。
【００８１】
［実施の形態６］
測定対象となる試料の種類によっては、図９のヤブロンスキー図に示すように、誘導放出光の照射によって、誘導ラマン散乱が起こり、その分ラマン散乱光が減少してしまう場合がある。誘導ラマン散乱の発生効率は、誘導放出光の波長に依存するため、誘導ラマン散乱の効率も考慮して誘導放出光の波長を適切に選ぶことで、ラマンスペクトルのＳＮ比を向上させることができる。したがって、誘導ラマン散乱が起こる試料を用いる場合は、実施の形態１から５において説明したのとは異なり、誘導放出光の中心波長として蛍光の抑制が最も効率よく起こる波長を選択することは、ラマンスペクトルを高いＳＮ比で測定するために最適な波長を選択していることにはならない。
【００８２】
誘導ラマン散乱の発生は、試料に入射するポンプ光および誘導放出光の偏光方向を適切に設定することで、低減させることができる。誘導ラマン散乱が低減する偏光方向は試料の種類と、ポンプ光および誘導放出光の波長とに依存する。
多くの場合、試料中においてポンプ光の偏光方向と誘導放出光の偏光方向を直交させるか、あるいは平行にすることで、誘導ラマン散乱の発生効率を低下させることができる。なお、試料中における光の偏光方向を直接的に確認することはできないが、通常、対物レンズに入射する光の偏光方向を確認することで足りる。
【００８３】
図１０は、実施の形態６に係るラマン顕微鏡の光学系を示すものである。実施の形態６に係るラマン顕微鏡の光学系は、基本的には実施の形態１に係るラマン顕微鏡の光学系と同様であるが、ポンプ光源１２或いは誘導放出光光源１１か放射される光の偏光状態を調整し得る構成となっている点で実施の形態１とは異なるものである。
【００８４】
図１０において、直線偏光を放射するポンプ光源１２とダイクロイックミラー１４との間には、λ／２板７２とλ／４板７１が配置されている。また、直線偏光を放射する誘導放出光光源１１とミラー１３との間にも、λ／２板７４とλ／４板７３が配置されている。このλ／２板７２，７４と、λ／４板７１，７３の角度を調整することで、試料におけるポンプ光および誘導放出光の偏光状態を設定することができる。これらの４枚の波長板を使用することで、光源から試料まで間の光学部品による影響を補正して、試料においてポンプ光および誘導放出光を直線偏光にできる。
【００８５】
光源から試料まで間の光学部品による影響が小さい場合には、λ／２板のみを使用して、偏光状態を設定できる。あるいは、試料に対する、ポンプ光および誘導放出光の波長、偏光状態がすでに最適化されており、光源から試料まで間の光学部品による影響が小さい場合には、光源自体の偏光状態を選ぶことで、λ／２板およびλ／４板を省略できる。
【００８６】
実施の形態１に係るラマン顕微鏡ばかりではなく、実施の形態２〜４に係るラマン顕微鏡の光学系においても、光源からポンプ光と誘導放出光が重ね合わされるまでの間にλ／２板とλ／４板を設置することで、試料における偏光状態を設定できる。
【００８７】
その他、実施の形態５に係るラマン顕微鏡の光学系においては、λ／２板とλ／４板を設置し、さらにシングルモードファイバとして偏波保持ファイバ（入射光の偏光方向が、射出光において保持されるシングルモードファイバ）を使用することで、試料における偏光状態を設定できる。
【００８８】
誘導放出光光源１１に波長可変のものを使用する場合には、λ／４板７３，λ／２板７４に広帯域の波長板を使用するか、あるいは、ベレック補償板またはバビネ・ソレイユ補償板を使用することで、部品を交換せずに試料における偏光状態を設定できる。なお、本発明において移相子は、波長板、或いは補償板を含む意味で用いている。
【００８９】
以上説明したように、実施の形態１から６のラマン顕微鏡によって、高い信号雑音比かつ高い波数分解能での共焦点ラマンイメージングを実現することができる。また、共焦点光学系ではない非共焦点光学系によって、ラマンスペクトルを測定しても良い。なお、上記の実施の形態１〜６は、適宜組み合わせて用いられても良い。
【符号の説明】
【００９０】
１１  誘導放出光光源
１２  ポンプ光源
１３  ミラー
１４  ダイクロイックミラー
１５  ダイクロイックミラー
１６  対物レンズ
１７  試料
１８  ノッチフィルタ
１９  ノッチフィルタ
２０  レンズ
３１  空間フィルタ
３２  分光器
３３  検出器
４１  光変調器
４３  ミラー
４４  ダイクロイックミラー
５１  ファイバカプラ
５２  ファイバケーブル
５３  ファイバカプラ
６１  ファイバカプラ
６２  ファイバケーブル
６３  ファイバカプラ
６４  ファイバケーブル
６５  ファイバコンバイナ
６６  ファイバケーブル
６７  ファイバカプラ
７１  λ／４板
７２  λ／２板
７３  λ／４板
７４  λ／２板
【図１】
0006051397.tif 000002
【図２】
0006051397.tif 000003
【図３】
0006051397.tif 000004
【図４】
0006051397.tif 000005
【図５】
0006051397.tif 000006
【図６】
0006051397.tif 000007
【図７】
0006051397.tif 000008
【図８】
0006051397.tif 000009
【図９】
0006051397.tif 000010
【図１０】
0006051397.tif 000011
【図１１】
0006051397.tif 000012
【図１２】
0006051397.tif 000013